【手続補正書】
【提出日】平成17年3月25日(2005.3.25)
【手続補正１】
【補正対象書類名】明細書
【補正対象項目名】発明の名称
【補正方法】変更
【補正の内容】
【発明の名称】マルチ画面合成装置及びマルチ画面合成装置の制御方法及び制御プログラム及びデジタルテレビ受信装置
【手続補正２】
【補正対象書類名】明細書
【補正対象項目名】特許請求の範囲
【補正方法】変更
【補正の内容】
【特許請求の範囲】
【請求項１】
複数の入力映像ソースの映像データとOSD描画データとをプレーン構成の共有メモリに書き込み且つレイアウト情報に基づいて前記共有メモリから読み出すメモリ制御部と、前記映像データ及び前記OSD描画データを１つの表示器に同時に表示する表示制御部とを有するマルチ画面合成装置であって、
前記共有メモリへ書き込む映像データを前記入力映像ソース毎にフレーム単位で間引き制御するフレーム間引き制御部と、
前記レイアウト情報から前記映像データの表示優先度を決定する表示優先度制御部とを有し、
前記フレーム間引き制御部は、マルチ画面表示が所定の画面数を超えたときに、前記表示優先度に基づいて、少なくとも１つの前記入力映像ソースの映像データを、OSD描画期間中にフレーム間引きするように制御することを特徴とするマルチ画面合成装置。
【請求項２】
前記所定の画面数は、前記共有メモリのメモリバンド幅に割り付けた前記入力映像ソースの数であることを特徴とする請求項１記載のマルチ画面合成装置。
【請求項３】
前記表示優先度は、マルチ画面表示時の重ね合わせの下位の映像データを表示優先度の低い映像データと判断して決定されることを特徴とする請求項１記載のマルチ画面合成装置。
【請求項４】
前記表示優先度は、マルチ画面表示時の表示領域の小さい映像データを表示優先度の低い映像データと判断して決定されることを特徴とする請求項１記載のマルチ画面合成装置。
【請求項５】
複数の入力映像ソースの映像データとOSD描画データとをプレーン構成の共有メモリに書き込み且つレイアウト情報に基づいて前記共有メモリから読み出すメモリ制御ステップと、
前記映像データ及び前記OSD描画データを１つの表示器に同時に表示する表示制御ステップと、
前記共有メモリへ書き込む映像データを前記入力映像ソース毎にフレーム単位で間引き制御するフレーム間引き制御ステップと、
前記レイアウト情報から前記映像データの表示優先度を決定する表示優先度決定ステップとを有し、
前記フレーム間引き制御ステップは、マルチ画面表示が所定の画面数を超えたときに、前記表示優先度に基づいて、少なくとも１つの前記入力映像ソースの映像データを、OSD描画期間中にフレーム間引きするように制御することを特徴とするマルチ画面合成装置の制御方法。
【請求項６】
複数の入力映像ソースの映像データとOSD描画データとをプレーン構成の共有メモリに書き込み且つレイアウト情報に基づいて前記共有メモリから読み出すメモリ制御部と、前記映像データ及び前記OSD描画データを１つの表示器に同時に表示する表示制御装置とを有するマルチ画面合成装置であって、
前記共有メモリへの書き込む映像データを前記入力映像ソース毎にフレーム単位で間引き制御するフレーム間引き制御部と、
OSD描画されるモノメディアの属性を識別し且つ前記レイアウト情報から映像データの表示優先度を決定する表示優先度制御部とを有し、
前記フレーム間引き制御部は、マルチ画面表示が所定の画面数を超えたときに、前記モノメディアの属性と前記表示優先度とに基づいて、少なくとも１つの前記入力映像ソースの映像データをOSD描画期間中にフレーム間引きするように制御することを特徴とするマルチ画面合成装置。
【請求項７】
前記モノメディアの属性は、放送データのBMLスクリプトに付加されるメディア属性に基づいて識別されることを特徴とする請求項６記載のマルチ画面合成装置。
【請求項８】
前記表示優先度の低い第１と第２の入力映像ソースから成る入力映像ソースペアの垂直同期信号をそれぞれ第１と第２の垂直同期信号とし且つ前記第１と第２の垂直同期信号の位相差を判定する位相差判定部を更に備え、
前記フレーム間引き制御部は、前記OSD描画期間に前記第１の入力映像ソースの映像データを、前記第１の垂直同期信号に同期して、フレーム単位に間引くのを開始し、前記位相差が前記第１の垂直同期信号の垂直同期期間の１／２より小さい場合は、前記第２の垂直同期信号を２回検知した後に、前記第２の入力映像ソースの映像データをフレーム単位に間引くのを開始し、前記位相差が前記第１の垂直同期信号の垂直同期期間の１／２以上の場合は、前記第２の垂直同期信号を１回検知した後に、前記第２の入力映像ソースの映像データをフレーム単位に間引くのを開始するよう制御することを特徴とする請求項６記載のマルチ画面合成装置。
【請求項９】
複数の入力映像ソースの映像データとOSD描画データとをプレーン構成の共有メモリに書き込み且つレイアウト情報に基づいて前記共有メモリから読み出すメモリ制御ステップと、
前記映像データ及び前記OSD描画データを１つの表示器に同時に表示する表示制御ステップと、
前記共有メモリへ書き込む映像データを前記入力映像ソース毎にフレーム単位で間引き制御するフレーム間引き制御ステップと、
OSD描画されるモノメディアの属性を識別する属性識別ステップと、
前記レイアウト情報から前記映像データの表示優先度を決定する表示優先度決定ステップとを有し、
前記フレーム間引き制御ステップは、マルチ画面表示が所定の画面数を超えた状態でOSD描画を行う場合、前記モノメディアの属性と前記表示優先度とに基づいて、少なくとも１つの前記入力映像ソースの映像データを、OSD描画期間中にフレーム間引きするように制御することを特徴とするマルチ画面合成装置の制御方法。
【請求項１０】
前記フレーム間引き制御ステップは、前記属性識別ステップにより前記属性が静止画属性と判断された場合には、前記表示優先度決定ステップにおいて低い表示優先度と判断された１つの前記映像データの入力映像ソースをOSD描画期間にフレーム単位に周期的間隔で間引くように制御することを特徴とする請求項９記載のマルチ画面合成装置の制御方法。
【請求項１１】
前記フレーム間引き制御ステップは、前記属性識別ステップにより前記属性が動画属性と判断された場合には、前記表示優先度決定ステップにおいて低い表示優先度と判断された入力映像ソースペアを決定し、前記入力映像ソースペアの前記映像データを、OSD描画期間にフレーム単位に交互に周期的間隔で間引くように制御することを特徴とする請求項９記載のマルチ画面合成装置の制御方法。
【請求項１２】
マルチ画面合成装置をコンピュータに制御させるための制御プログラムであって、
複数の入力映像ソースの映像データとOSD描画データとをプレーン構成の共有メモリに書き込み且つレイアウト情報に基づいて前記共有メモリから読み出すメモリ制御モジュールと、
前記映像データ及び前記OSD描画データを１つの表示器に同時に表示する表示制御モジュールと、
前記共有メモリへ書き込む映像データを前記入力映像ソース毎にフレーム単位で間引き制御するフレーム間引き制御モジュールと、
前記レイアウト情報から前記映像データの表示優先度を決定する制御モジュールとを有し、
前記フレーム間引き制御モジュールは、マルチ画面表示が所定の画面数を超えたときに、前記表示優先度に基づいて、少なくとも１つの前記入力映像ソースの映像データを、OSD描画期間中にフレーム間引きするように制御することを特徴とするマルチ画面合成装置をコンピュータに制御させるための制御プログラム。
【請求項１３】
請求項１または６記載のマルチ画面合成装置と、テレビ信号を受信して前記映像データを前記マルチ画面合成装置に出力するチューナ部と、前記マルチ画面合成装置から出力された映像データに基づいて画像を表示する表示器とを有することを特徴とするデジタルテレビ受信装置。
【手続補正３】
【補正対象書類名】明細書
【補正対象項目名】０００１
【補正方法】変更
【補正の内容】
【０００１】
【発明の属する技術分野】
本発明は、マルチ画面表示機能を有するデジタルテレビ受信装置等における共有メモリ（ユニファイドメモリ）を制御するマルチ画面合成装置及びマルチ画面合成装置の制御方法及び制御プログラム及びデジタルテレビ受信装置に関する。
【手続補正４】
【補正対象書類名】明細書
【補正対象項目名】００２８
【補正方法】変更
【補正の内容】
【００２８】
本発明は上記従来技術の有する問題点を解決するためになされたもので、その目的は、マルチ画面機能の制約及び映像データの表示とOSD描画更新の見た目の違和感を排除して、システムコストの低減を図ることが可能なマルチ画面合成装置及びマルチ画面合成装置の制御方法及び制御プログラム及びデジタルテレビ受信装置を提供することである。
【手続補正５】
【補正対象書類名】明細書
【補正対象項目名】００２９
【補正方法】変更
【補正の内容】
【００２９】
【課題を解決するための手段】
上記目的を達成するために本発明の請求項１記載のマルチ画面合成装置は、複数の入力映像ソースの映像データとOSD描画データとをプレーン構成の共有メモリに書き込み且つレイアウト情報に基づいて前記共有メモリから読み出すメモリ制御部と、前記映像データ及び前記OSD描画データを１つの表示器に同時に表示する表示制御部とを有するマルチ画面合成装置であって、前記共有メモリへ書き込む映像データを前記入力映像ソース毎にフレーム単位で間引き制御するフレーム間引き制御部と、前記レイアウト情報から前記映像データの表示優先度を決定する表示優先度制御部とを有し、前記フレーム間引き制御部は、マルチ画面表示が所定の画面数を超えたときに、前記表示優先度に基づいて、少なくとも１つの前記入力映像ソースの映像データを、OSD描画期間中にフレーム間引きするように制御することを特徴とする。
【手続補正６】
【補正対象書類名】明細書
【補正対象項目名】００３０
【補正方法】変更
【補正の内容】
【００３０】
上記目的を達成するために本発明の請求項５記載のマルチ画面合成装置の制御方法は、複数の入力映像ソースの映像データとOSD描画データとをプレーン構成の共有メモリに書き込み且つレイアウト情報に基づいて前記共有メモリから読み出すメモリ制御ステップと、前記映像データ及び前記OSD描画データを１つの表示器に同時に表示する表示制御ステップと、前記共有メモリへ書き込む映像データを前記入力映像ソース毎にフレーム単位で間引き制御するフレーム間引き制御ステップと、前記レイアウト情報から前記映像データの表示優先度を決定する表示優先度決定ステップとを有し、前記フレーム間引き制御ステップは、マルチ画面表示が所定の画面数を超えたときに、前記表示優先度に基づいて、少なくとも１つの前記入力映像ソースの映像データを、OSD描画期間中にフレーム間引きするように制御することを特徴とする。
【手続補正７】
【補正対象書類名】明細書
【補正対象項目名】００３１
【補正方法】変更
【補正の内容】
【００３１】
上記目的を達成するために本発明の請求項６記載のマルチ画面合成装置は、複数の入力映像ソースの映像データとOSD描画データとをプレーン構成の共有メモリに書き込み且つレイアウト情報に基づいて前記共有メモリから読み出すメモリ制御部と、前記映像データ及び前記OSD描画データを１つの表示器に同時に表示する表示制御装置とを有するマルチ画面合成装置であって、前記共有メモリへの書き込む映像データを前記入力映像ソース毎にフレーム単位で間引き制御するフレーム間引き制御部と、OSD描画されるモノメディアの属性を識別し且つ前記レイアウト情報から映像データの表示優先度を決定する表示優先度制御部とを有し、前記フレーム間引き制御部は、マルチ画面表示が所定の画面数を超えたときに、前記モノメディアの属性と前記表示優先度とに基づいて、少なくとも１つの前記入力映像ソースの映像データをOSD描画期間中にフレーム間引きするように制御することを特徴とする。
【手続補正８】
【補正対象書類名】明細書
【補正対象項目名】００３２
【補正方法】変更
【補正の内容】
【００３２】
上記目的を達成するために本発明の請求項９記載のマルチ画面合成装置の制御方法は、複数の入力映像ソースの映像データとOSD描画データとをプレーン構成の共有メモリに書き込み且つレイアウト情報に基づいて前記共有メモリから読み出すメモリ制御ステップと、前記映像データ及び前記OSD描画データを１つの表示器に同時に表示する表示制御ステップと、前記共有メモリへ書き込む映像データを前記入力映像ソース毎にフレーム単位で間引き制御するフレーム間引き制御ステップと、OSD描画されるモノメディアの属性を識別する属性識別ステップと、前記レイアウト情報から前記映像データの表示優先度を決定する表示優先度決定ステップとを有し、前記フレーム間引き制御ステップは、マルチ画面表示が所定の画面数を超えた状態でOSD描画を行う場合、前記モノメディアの属性と前記表示優先度とに基づいて、少なくとも１つの前記入力映像ソースの映像データを、OSD描画期間中にフレーム間引きするように制御することを特徴とする。
【手続補正９】
【補正対象書類名】明細書
【補正対象項目名】００３３
【補正方法】変更
【補正の内容】
【００３３】
上記目的を達成するために本発明の請求項１２記載の制御プログラムは、マルチ画面合成装置をコンピュータに制御させるための制御プログラムであって、複数の入力映像ソースの映像データとOSD描画データとをプレーン構成の共有メモリに書き込み且つレイアウト情報に基づいて前記共有メモリから読み出すメモリ制御モジュールと、前記映像データ及び前記OSD描画データを１つの表示器に同時に表示する表示制御モジュールと、前記共有メモリへ書き込む映像データを前記入力映像ソース毎にフレーム単位で間引き制御するフレーム間引き制御モジュールと、前記レイアウト情報から前記映像データの表示優先度を決定する制御モジュールとを有し、前記フレーム間引き制御モジュールは、マルチ画面表示が所定の画面数を超えたときに、前記表示優先度に基づいて、少なくとも１つの前記入力映像ソースの映像データを、OSD描画期間中にフレーム間引きするように制御することを特徴とする。
【手続補正１０】
【補正対象書類名】明細書
【補正対象項目名】００３４
【補正方法】変更
【補正の内容】
【００３４】
更に、上記目的を達成するために本発明の請求項１３記載のデジタルテレビ受信装置は、請求項１または６記載のマルチ画面合成装置と、テレビ信号を受信して前記映像データを前記マルチ画面合成装置に出力するチューナ部と、前記マルチ画面合成装置から出力された映像データに基づいて画像を表示する表示器とを有することを特徴とする。
【手続補正１１】
【補正対象書類名】明細書
【補正対象項目名】００３５
【補正方法】削除
【補正の内容】